(57)【要約】【課題】デジタル放送信号の各伝送ブロックを効率良く目的の階層に割り当てて送出することができ、かつ小型化を図ることを可能とする。【解決手段】ＰＩＤ範囲をフィルタ係数とするＰＩＤフィルタ１２１１〜１２１ｎを直列接続し、入力されたＴＳを各ＰＩＤフィルタ１２１１〜１２１ｎに通して階層ごとに割り当てるべくＴＳパケットを抽出する。そして、各ＰＩＤフィルタ１２１１〜１２１ｎの出力を階層に対応したメモリバッファ１２２１〜１２２ｎに格納し、各メモリバッファ１２２１〜１２２ｎの出力を多重部１２３にて選択的に導出するようにしている。その際、多重制御部１２４によって階層ごとにＴＳパケットを読み出すメモリバッファ１２２１〜１２２ｎを切り替えるようにしている。【選択図】　　図２
2004112316.tif 000002
【特許請求の範囲】
【請求項１】
一定のデータ長の複数の伝送ブロックを配列し、かつ該伝送ブロックごとに自ブロックを識別するための識別情報を付加したデジタル放送信号を送出するデジタル放送信号送出システムに適用され、送出すべきデジタル放送信号を伝送ブロックごとに階層に割り当てて送出するデジタル放送信号送出処理装置であって、
それぞれ前記デジタル放送信号から設定された識別情報範囲の伝送ブロックを抽出して出力し、かつ互いに設定すべき識別情報範囲が異なる複数のフィルタを直列に接続するものであって、前記デジタル放送信号を前記複数のフィルタに通して出力するフィルタ手段と、
このフィルタ手段のフィルタ数分設けられ、各フィルタの出力をそれぞれ格納し出力する複数のバッファと、
前記複数のバッファの各出力を選択的に導出する出力切替手段と、
この切替手段に対し、階層ごとに対応するバッファの出力を選択するように切り替えを実行させる切替制御手段とを具備したことを特徴とするデジタル放送信号送出処理装置。
【請求項２】
前記フィルタ手段は、破棄すべく伝送ブロックの識別情報範囲が設定されたフィルタを有することを特徴とする請求項１記載のデジタル放送信号送出処理装置。
【請求項３】
前記複数のフィルタのうちの少なくとも１つは、識別情報範囲を任意に設定可能な可変型フィルタであることを特徴とする請求項１記載のデジタル放送信号送出処理装置。
【発明の詳細な説明】
【０００１】
【発明の属する技術分野】
この発明は、デジタル放送信号を送出するデジタル放送信号送出システムに係わり、特にデジタル放送信号を階層に割り当てて送出するために使用するデジタル放送信号送出処理装置に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
デジタル放送では、データ放送サービス、ＳＩ（Ｓｅｒｖｉｃｅ　Ｉｎｆｏｒｍａｔｉｏｎ：番組配列情報）等の種々のデータを含むＭＰＥＧ（Ｍｏｖｉｎｇ　Ｐｉｃｔｕｒｅ　Ｅｘｐｅｒｔｓ　Ｇｒｏｕｐ）で規定されるトランスポートストリーム（以下、ＴＳと称する）を送出し、このトランスポートストリームのパケットにはそれぞれＰＩＤ（ｐａｃｋｅｔ　ＩＤ）が付加される。
【０００４】
また、地上波デジタル放送では、ＰＩＤごとに階層に割り当てて送出する階層伝送が行われることになる。この場合、最大３つの階層伝送が行われる。なお、階層伝送では、階層間で符号化率、変調方式を異なるようにして伝送を行えるようになっている。
ところで、ＴＳを各階層に割り当てる場合に、ＰＩＤごとに木目細かに割り当てる必要が生じるとともに、そのＰＩＤのパケットデータに目的の階層以外の他の階層による影響を受けないようにする必要が生じる。
【０００５】
従来では、上記対策として、ＴＳから目的のＰＩＤのパケットを抽出するＰＩＤフィルタを該ＴＳに含まれ得るＰＩＤ数分用意し、階層とＰＩＤフィルタを１対１に対応させ、他の階層の影響を受けないようにすることが考えられている。
しかしながら、上記対策では、送出するＴＳに依らず、常にＴＳに含まれ得るＰＩＤ数分のＰＩＤフィルタを用意する必要があり、装置全体が大型化してしまうことになる。
【０００６】
【発明が解決しようとする課題】
以上述べたように、階層伝送を行う際に、ＴＳのＰＩＤごとに目的の階層を他の階層の影響を受けずに割り当てる有効な手段がなかった。
この発明の目的は、デジタル放送信号の各伝送ブロックを効率良く目的の階層に割り当てて送出することができ、かつ小型化を図り得るデジタル放送信号送出処理装置を提供することにある。
【０００７】
【課題を解決するための手段】
この発明は、上記目的を達成するために、以下のように構成される。
（１）一定のデータ長の複数の伝送ブロックを配列し、かつ該伝送ブロックごとに自ブロックを識別するための識別情報を付加したデジタル放送信号を送出するデジタル放送信号送出システムに適用され、送出すべきデジタル放送信号を伝送ブロックごとに階層に割り当てて送出するデジタル放送信号送出処理装置であって、それぞれデジタル放送信号から設定された識別情報範囲の伝送ブロックを抽出して出力し、かつ互いに設定すべき識別情報範囲が異なる複数のフィルタを直列に接続するものであって、デジタル放送信号を複数のフィルタに通して出力するフィルタ手段と、このフィルタ手段のフィルタ数分設けられ、各フィルタの出力をそれぞれ格納し出力する複数のバッファと、複数のバッファの各出力を選択的に導出する出力切替手段と、この切替手段に対し、階層ごとに対応するバッファの出力を選択するように切り替えを実行させる切替制御手段とを備えるようにしたものである。
【０００８】
（１）の発明によれば、１つの階層について連続する複数の識別情報がある場合に、これら識別情報範囲をフィルタに設定すべきフィルタ係数とし、このフィルタと階層とを対応付けることにより、識別情報単位をフィルタ係数とする場合に比して、使用するフィルタの数及びバッファの数を大幅に減らして装置全体の小型化を図ることができ、また送出の際に、送出すべき階層に対応するバッファから伝送ブロックを読み出すだけでよいので、デジタル放送信号中の伝送ブロックを目的の階層に割り当てて効率良く送出することができる。また、新たな伝送ブロックを含んだデジタル放送信号を取り扱う場合にも、既存のフィルタを新たな伝送ブロックの識別情報を含めた範囲のフィルタに交換するだけでよいので、フィルタの数が増えることなく小型化を維持したままで、新たなデジタル放送信号に容易に対応することができる。
【０００９】
（２）フィルタ手段は、破棄すべく伝送ブロックの識別情報範囲が設定されたフィルタを有することを特徴とする。
（２）の発明によれば、伝送ブロックを破棄するためのフィルタを用いて、破棄すべく伝送ブロックを任意に破棄することができる。
【００１０】
（３）複数のフィルタのうちの少なくとも１つは、識別情報範囲を任意に設定可能な可変型フィルタであることを特徴とする。
（３）の発明によれば、新たな伝送ブロックを含んだデジタル放送信号を取り扱う場合にも、新たな伝送ブロックの識別情報を含めるように可変型フィルタの設定を変更するだけでよく、これによりフィルタ自体の交換も必要とすることなく、装置の小型化を維持できる。また、階層に割り当てるべく識別情報を変更する場合にも、可変型フィルタの設定を変更するだけで、容易に対応することができる。
【００１１】
【発明の実施の形態】
以下、この発明の実施形態について図面を参照して詳細に説明する。
図１は、この発明に係るデジタル放送信号送出処理装置が適用される局内システムの一実施形態を示すブロック構成図である。
このシステムは、同図に示すように、エンコーダ（ＥＮＣ）１１と、マルチプレクサ（ＭＵＸ）１２と、符号化多重制御部（ＥＭＣ）１３と、自動番組送出制御部（ＡＰＣ）１４と、局内時計１５と、データサーバ（ＤＳ）１６とを備えている。
【００１２】
エンコーダ１１は、入力信号をＭＰＥＧ２符号化方式で圧縮符号化してＴＳを生成し、マルチプレクサ１３に出力する。マルチプレクサ１２は、エンコーダ１１の出力ＴＳを他の出力ＴＳと多重化し、多重化ＴＳとして送出する。また、符号化多重制御部１３から出力される情報を元に、ＰＭＴ（Ｐｒｏｇｒａｍ　Ｍａｐ　Ｔａｂｌｅ）、ＰＡＴ（Ｐｒｏｇｒａｍ　Ａｓｓｏｃｉａｔｉｏｎ　Ｔａｂｌｅ）等のデータを生成し、トランスポートストリームに多重する。
【００１３】
符号化多重制御部１３は、自動番組送出制御部１４から提供される指示情報、放送スケジュールデータ及び局内時計１５で計測される編成時刻に基づいてエンコーダ１１及びマルチプレクサ１２を制御する。
自動番組送出制御部１４は、データサーバ１６から提供される放送スケジュールデータ及び局内時計１５で計測される番組編成時刻に従って、符号化多重部１３に対し指示情報を送出して符号化多重部１３の符号化多重処理を制御するようにしている。
【００１４】
図２は、本発明に係わるデジタル放送信号送出処理装置としての上記マルチプレクサ１２の具体的構成を示すブロック図である。
エンコーダ１１から出力されたＴＳは、ＰＩＤフィルタ部１２１に供給される。ＰＩＤフィルタ部１２１は、それぞれ抽出すべきＰＩＤの範囲が設定されたｎ個のＰＩＤフィルタ１２１１〜１２１ｎを直列に接続し、入力ＴＳを各ＰＩＤフィルタ１２１１〜１２１ｎに通して設定されたＰＩＤ範囲のＴＳパケットを抽出する。各ＰＩＤフィルタ１２１１〜１２１ｎで抽出されたＴＳパケットは、それぞれメモリバッファ１２２１〜１２２ｎに格納される。
各メモリバッファ１２２１〜１２２ｎの出力は、多重部１２３によって選択的に導出され、多重化ＴＳとして出力される。上記各メモリバッファ１２２１〜１２２ｎ及び多重部１２３は、多重制御部１２４によってＴＳに割り当てるべく階層ごとに切替制御される。
【００１５】
上記構成において、以下にその処理動作を説明する。
まず、エンコーダ１１は、図３に示すようなＭＰＥＧ２規格のＴＳパケットを生成する。このＴＳパケットは、ビデオとオーディオ等で構成されている。
ここで、マルチプレクサ１２では、エンコーダ１１からのＴＳをＰＩＤフィルタ部１２１に入力する。例えば４個のＰＩＤフィルタ１２１１〜１２１４を使用するものとし、ＰＩＤフィルタ１２１１には破棄すべくＴＳパケットのＰＩＤ範囲（０ｘ１００６〜０ｘ１００７）を設定し、ＰＩＤフィルタ１２１２には階層Ｂに割り当てるべくＴＳパケットのＰＩＤ範囲（０ｘ１００３〜０ｘ１００ａ）を設定し、ＰＩＤフィルタ１２１３には階層Ａに割り当てるべくＴＳパケットのＰＩＤ範囲（０ｘ１０００〜０ｘ１００ｄ）を設定し、ＰＩＤフィルタ１２１４には階層Ｂに割り当てるべくＴＳパケットのＰＩＤ範囲（０ｘ１００ｅ〜０ｘ１００ｆ）を設定するものとする。
【００１６】
ＰＩＤフィルタ部１２１に入力されたＴＳは、まずＰＩＤフィルタ１２１１によってＰＩＤ範囲（０ｘ１００６〜０ｘ１００７）のＴＳパケットが抽出され、ＰＩＤ範囲（０ｘ１００６〜０ｘ１００７）のＴＳパケットを除く、他のＴＳパケットがＰＩＤフィルタ１２１２に入力される。ＰＩＤフィルタ１２１２は、入力されたＴＳからＰＩＤ範囲（０ｘ１００３〜０ｘ１００ａ）のＴＳパケットを抽出し、残りのＰＩＤ範囲（０ｘ１０００〜０ｘ１００２，０ｘ１００ｂ〜０ｘ１００ｆ）の各ＴＳパケットをＰＩＤフィルタ１２１３に出力する。ＰＩＤフィルタ１２１３は、入力されたＴＳからＰＩＤ範囲（０ｘ１０００〜０ｘ１００ｄ）のＴＳパケットを抽出し、残りのＰＩＤ範囲（０ｘ１００ｅ〜０ｘ１００ｆ）の各ＴＳパケットをＰＩＤフィルタ１２１４に出力する。以後、ＰＩＤ範囲（０ｘ１００ｅ〜０ｘ１００ｆ）の各ＴＳパケットは、ＰＩＤフィルタ１２１４によって抽出される。これにより、最終的には、図５に示すような結果が得られる。
【００１７】
各ＰＩＤフィルタ１２１１〜１２１４の出力は、メモリバッファ１２２１〜１２２４に入力され、それぞれ所定個数のＴＳパケットが順次保持される。各メモリバッファ１２２１〜１２２４に保持されたＴＳパケットはそれぞれ多重制御部１２４によって検出される。
この多重制御部１２４は、符号化多重制御装置１３から階層Ａを示す制御情報が与えられると、メモリバッファ１２２３に保持されるＴＳパケットの有無を判別し、この判別結果に基づいて、メモリバッファ１２２３に保持されたＴＳパケットを順次読み出して、多重部１２３に対し多重化ＴＳに多重させる。そして、階層Ｂを示す制御情報が与えられると、各メモリバッファ１２２２，１２２４に保持されるＴＳパケットの有無を判別し、この判別結果に基づいて、メモリバッファ１２２２，１２２４に保持されたＴＳパケットを順次読み出して、多重部１２３に対し多重化ＴＳに多重させる。なお、メモリバッファ１２２１に保持されたＴＳパケットは、そのまま破棄されることになる。
【００１８】
以上のように上記実施形態によれば、各階層Ａ，Ｂについて連続する複数のＰＩＤがある場合に、これらＰＩＤ範囲をＰＩＤフィルタ１２１１〜１２１ｎに設定すべきフィルタ係数とし、ＰＩＤフィルタ１２１１〜１２１ｎと階層Ａ，Ｂとを対応付けることにより、ＰＩＤ単位をフィルタ係数とする場合に比して、使用するＰＩＤフィルタ１２１１〜１２１ｎの数及びメモリバッファ１２２１〜１２２ｎの数を大幅に減らすことができ、これにより装置全体の小型化を図ることができる。また送出の際に、送出すべき階層Ａ，Ｂに対応するメモリバッファ１２２１〜１２２ｎからＴＳパケットを読み出して多重部１２３に供給するだけでよいので、各ＴＳパケットを目的の階層Ａ，Ｂに割り当てて効率良く送出することができる。
また、上記実施形態によれば、新たなＰＩＤのＴＳパケットを含んだＴＳを取り扱う場合にも、新たなＰＩＤを含めた範囲のＰＩＤフィルタに交換するだけでよいので、フィルタの数が増えることなく小型化を維持したままで、新たなＴＳに容易に対応することができる。
【００１９】
なお、上記実施形態では、ＰＩＤフィルタ１２１１〜１２１ｎに固定のＰＩＤ範囲が設定されたフィルタを使用するものとして説明したが、ＰＩＤ範囲を任意に設定可能な可変型フィルタを用いるようにしてもよい。このようにすれば、新たなＰＩＤのＴＳパケットを含んだＴＳを取り扱う場合にも、新たなＰＩＤを含めるように可変型フィルタの設定を変更するだけでよく、これによりフィルタ自体の交換も必要とすることなく、装置の小型化を維持できる。また、階層に割り当てるべくＰＩＤを変更する場合にも、可変型フィルタの設定を変更するだけで、容易に対応することができる。
その他、局内システムの種類や構成、マルチプレクサの種類や構成、ＰＩＤフィルタに対するＰＩＤ範囲の設定パターンやＰＩＤフィルタの接続パターン等についても、この発明の要旨を逸脱しない範囲で種々変形して実施できる。
【００２０】
【発明の効果】
以上詳述したようにこの発明によれば、デジタル放送信号の各伝送ブロックを効率良く目的の階層に割り当てて送出することができ、かつ小型化を図り得るデジタル放送信号送出処理装置を提供することができる。
【図面の簡単な説明】
【図１】この発明に係るデジタル放送信号送出処理装置が適用される局内システムの一実施形態を示すブロック図。
【図２】図１に示したマルチプレクサの具体的構成を示すブロック図。
【図３】同実施形態で取り扱うＴＳパケット構造を示す図。
【図４】同実施形態におけるフィルタリング動作を説明するために示すブロック図。
【図５】同実施形態におけるフィルタリング動作により得られる結果を示す図。
【符号の説明】
１１…エンコーダ（ＥＮＣ）、
１２…マルチプレクサ（ＭＵＸ）、
１３…符号化多重制御部（ＥＭＣ）、
１４…自動番組送出制御部（ＡＰＣ）、
１５…局内時計、
１６…データサーバ（ＤＳ）、
１２１…ＰＩＤフィルタ部、
１２１１〜１２１ｎ…ＰＩＤフィルタ、
１２２１〜１２２ｎ…メモリバッファ、
１２３…多重部、
１２４…多重制御部。
【図１】
2004112316.tif 000003
【図２】
2004112316.tif 000004
【図３】
2004112316.tif 000005
【図４】
2004112316.tif 000006
【図５】
2004112316.tif 000007